(57)【要約】【課題】広告バインド型のコンテンツ視聴システムにおいて、広告を印刷した印刷装置の機種や、使用されたインクの量を、安全に取得できる手段を提供する。【解決手段】印刷装置が、予め印刷装置に記録された秘密情報を利用して、前記印刷結果情報の正当性を証明する署名情報を生成する署名情報生成手段を備え、動画データ再生装置が、前記印刷装置から受信した署名情報を検証する署名情報検証手段を備え、前記動画データ再生装置の課金手段は、前記署名情報の正当性が検証された場合にのみ、印刷結果情報に基づき料金を計算する。【選択図】図７
2008263411.tif 000002
【特許請求の範囲】
【請求項１】
動画データを再生可能な動画データ再生装置と、静止画データを印刷可能な印刷装置とで構成される動画データ再生システムであって、
前記動画データ再生装置は、
動画データを記録する動画データ記録手段と、
前記動画データを再生する再生手段と、
前記動画データに関連した静止画データを記録する静止画データ記録手段と、
前記動画データの料金及び、前記静止画データを前記印刷装置で印刷した際の前記動画データの料金に対する割引率を記録する課金情報記録手段と、
前記印刷装置に対して、前記静止画データの印刷指示を送信する指示送信手段と、
前記静止画データを、印刷装置に送信するデータ送信手段と、
前記印刷装置から印刷結果情報を受信する印刷結果情報受信手段と、
前記動画データの料金、前記動画データの料金に対する割引率及び、前記印刷結果情報に含まれる印刷結果に基づき、動画データを再生する際の料金を計算する課金手段と、を備え、
前記印刷装置は、
前記動画データ再生装置から静止画データの印刷指示を受信する指示受信手段と、
前記印刷指示に基づき、前記動画データ再生装置から静止画データを受信するデータ受信手段と、
前記静止画データを印刷する印刷手段と、
前記静止画データの印刷が成功したか否かを示す印刷結果を記録する印刷結果記録手段と、
前記印刷結果記録手段に記録された印刷結果を含む印刷結果情報を生成し、前記動画データ再生装置に送信する印刷結果情報送信手段と、を備えたことを特徴とする動画データ再生システム。
【請求項２】
前記印刷装置の印刷結果記録手段は、さらに、前記静止画データの印刷に伴い消費したインクの消費量を記録し、
前記印刷結果情報送信手段は、前記印刷結果記録手段が記録している印刷結果に加えて、前記消費したインク量を含む印刷結果情報を送信し、
前記動画データ再生装置の課金手段は、前記印刷結果情報に含まれる印刷結果及び、消費したインク量に基づいて動画データを再生する際の料金を計算することを特徴とする請求項１に記載の動画データ再生システム。
【請求項３】
前記印刷装置の印刷結果記録手段は、さらに、前記静止画データを印刷した印刷枚数を記録し、
前記印刷結果情報送信手段は、前記印刷結果記録手段が記録している印刷結果に加えて、印刷枚数を含む印刷結果情報を送信し、
前記動画データ再生装置の課金手段は、前記印刷結果情報に含まれる印刷結果及び、印刷枚数に基づいて動画データを再生する際の料金を計算することを特徴とする請求項１に記載の動画データ再生システム。
【請求項４】
前記印刷装置の印刷結果記録手段は、さらに、前記静止画データを印刷した印刷用紙のサイズを記録し、
前記印刷結果情報送信手段は、前記印刷結果記録手段が記録している印刷結果に加えて、前記印刷用紙のサイズを含む印刷結果情報を送信し、
前記動画データ再生装置の課金手段は、前記印刷結果情報に含まれる印刷結果及び、印刷用紙のサイズに基づいて動画データを再生する際の料金を計算することを特徴とする請求項１に記載の動画データ再生システム。
【請求項５】
前記印刷装置は、さらに、予め印刷装置に記録された秘密鍵情報を利用して、前記印刷結果情報及び、前記動画データ再生装置から受信したチャレンジに対する署名情報を生成する署名情報生成手段を備え、
前記動画データ再生装置は、さらに、前記印刷装置に対して、チャレンジを送信すると共に、前記送信したチャレンジ、前記印刷装置から受信した印刷結果情報、署名情報及び、前記印刷装置から受信した前記秘密鍵情報に対する公開鍵情報を用いて署名情報を検証する署名情報検証手段を備え、
前記動画データ再生装置の課金手段は、前記署名情報の検証が成功した場合にのみ、印刷結果情報に基づいて動画データを再生する際の料金を計算することを特徴とする請求項１乃至、請求項４に記載の動画データ再生システム。
【請求項６】
前記印刷装置は、さらに、予め印刷装置に記録された前記公開鍵情報を含む証明書情報を送信する証明書情報送信手段を備え、
前記動画データ再生装置は、さらに、前記印刷装置から受信した証明書情報を検証する証明書情報検証手段を備え、
前記動画データ再生装置の課金手段は、前記証明書情報の検証が成功した場合にのみ、印刷結果情報に基づいて動画データを再生する際の料金を計算することを特徴とする請求項１乃至、請求項５に記載の動画データ再生システム。
【請求項７】
前記証明書情報は、さらに、前記印刷装置を識別可能な印刷装置識別子を含み、
前記動画データ再生装置は、さらに、動画データに関連付けられた印刷装置の印刷装置識別子と、前記証明書情報に含まれる印刷装置識別子とを比較する印刷装置識別子比較手段と、を備え、
前記動画データ再生装置の課金手段は、前記証明書情報の検証が成功して且つ、前記動画データに関連付けられた印刷装置識別子と、証明書情報に含まれる印刷装置識別子が一致した場合にのみ、印刷結果情報に基づいて動画データを再生する際の料金を計算することを特徴とする請求項６に記載の動画データ再生システム。
【請求項８】
前記動画データ再生装置は、さらに、外部ネットワークから、動画データ、前記動画データに関連した静止画データ及び、動画データの料金及び、前記静止画データを前記印刷装置で印刷した際の前記動画データの料金に対する割引率を受信するデータ受信手段を備えたことを特徴とする請求項１乃至、請求項７に記載の動画データ再生システム。
【請求項９】
前記動画データ再生装置は、さらに、外部蓄積メディアから、動画データ、前記動画データに関連した静止画データ及び、動画データの料金及び、前記静止画データを前記印刷装置で印刷した際の前記動画データの料金に対する割引率を取得するデータ読み込み手段を備えたことを特徴とする請求項１乃至、請求項７に記載の動画データ再生システム。
【請求項１０】
動画データを再生可能な動画データ再生装置であって、
動画データを記録する動画データ記録手段と、
前記動画データを再生する再生手段と、
前記動画データに関連した静止画データを記録する静止画データ記録手段と、
前記動画データの料金及び、前記静止画データを前記印刷装置で印刷した際の前記動画データの料金に対する割引率を記録する課金情報記録手段と、
前記印刷装置に対して、前記静止画データの印刷指示を送信する指示送信手段と、
前記静止画データを、印刷装置に送信するデータ送信手段と、
前記印刷装置から印刷結果情報を受信する印刷結果情報受信手段と、
前記動画データの料金、前記動画データの料金に対する割引率及び、前記印刷結果情報に含まれる印刷結果に基づき、動画データを再生する際の料金を計算する課金手段と、
を備えることを特徴とする動画データ再生装置。
【請求項１１】
前記動画データ再生装置の課金手段は、前記印刷結果情報に含まれる印刷結果及び、消費したインク量に基づいて動画データを再生する際の料金を計算することを特徴とする請求項１０に記載の動画データ再生装置。
【請求項１２】
前記動画データ再生装置の課金手段は、前記印刷結果情報に含まれる印刷結果及び、印刷枚数に基づいて動画データを再生する際の料金を計算することを特徴とする請求項１に記載の動画データ再生装置。
【請求項１３】
前記動画データ再生装置の課金手段は、前記印刷結果情報に含まれる印刷結果及び、印刷用紙のサイズに基づいて動画データを再生する際の料金を計算することを特徴とする請求項１に記載の動画データ再生装置。
【請求項１４】
前記動画データ再生装置は、さらに、前記印刷装置に対して、チャレンジを送信すると共に、前記送信したチャレンジ、前記印刷装置から受信した印刷結果情報、署名情報及び、前記印刷装置から受信した前記秘密鍵情報に対する公開鍵情報を用いて署名情報を検証する署名情報検証手段を備え、
前記動画データ再生装置の課金手段は、前記署名情報の検証が成功した場合にのみ、印刷結果情報に基づいて動画データを再生する際の料金を計算することを特徴とする請求項１０乃至、請求項１３に記載の動画データ再生装置。
【請求項１５】
前記動画データ再生装置は、さらに、前記印刷装置から受信した証明書情報を検証する証明書情報検証手段を備え、
前記動画データ再生装置の課金手段は、前記証明書情報の検証が成功した場合にのみ、印刷結果情報に基づいて動画データを再生する際の料金を計算することを特徴とする請求項１０乃至、請求項１４に記載の動画データ再生装置。
【請求項１６】
前記証明書情報は、さらに、前記印刷装置を識別可能な印刷装置識別子を含み、
前記動画データ再生装置は、さらに、動画データに関連付けられた印刷装置の印刷装置識別子と、前記証明書情報に含まれる印刷装置識別子とを比較する印刷装置識別子比較手段と、を備え、
前記動画データ再生装置の課金手段は、前記証明書情報の検証が成功して且つ、前記動画データに関連付けられた印刷装置識別子と、証明書情報に含まれる印刷装置識別子が一致した場合にのみ、印刷結果情報に基づいて動画データを再生する際の料金を計算することを特徴とする請求項１５に記載の動画データ再生装置。
【請求項１７】
前記動画データ再生装置は、さらに、外部ネットワークから、動画データ、前記動画データに関連した静止画データ及び、動画データの料金及び、前記静止画データを前記印刷装置で印刷した際の前記動画データの料金に対する割引率を受信するデータ受信手段を備えたことを特徴とする請求項１０乃至、請求項１６に記載の動画データ再生装置。
【請求項１８】
前記動画データ再生装置は、さらに、外部蓄積メディアから、動画データ、前記動画データに関連した静止画データ及び、動画データの料金及び、前記静止画データを前記印刷装置で印刷した際の前記動画データの料金に対する割引率を取得するデータ読み込み手段を備えたことを特徴とする請求項１０乃至、請求項１６に記載の動画データ再生装置。
【請求項１９】
静止画データを印刷可能な印刷装置であって、
前記動画データ再生装置から静止画データの印刷指示を受信する指示受信手段と、
前記印刷指示に基づき、前記動画データ再生装置から静止画データを受信するデータ受信手段と、
前記静止画データを印刷する印刷手段と、
前記静止画データの印刷が成功したか否かを示す印刷結果を記録する印刷結果記録手段と、
前記印刷結果記録手段に記録された印刷結果を含む印刷結果情報を生成し、前記動画データ再生装置に送信する印刷結果情報送信手段と、を備えたことを特徴とする印刷装置。
【請求項２０】
前記印刷装置の印刷結果記録手段は、さらに、前記静止画データの印刷に伴い消費したインクの消費量を記録し、
前記印刷結果情報送信手段は、前記印刷結果記録手段が記録している印刷結果に加えて、前記消費したインク量を含む印刷結果情報を送信することを特徴とする請求項１９に記載の印刷装置。
【請求項２１】
前記印刷装置の印刷結果記録手段は、さらに、前記静止画データを印刷した印刷枚数を記録し、
前記印刷結果情報送信手段は、前記印刷結果記録手段が記録している印刷結果に加えて、印刷枚数を含む印刷結果情報を送信することを特徴とする請求項１９に記載の印刷装置。
【請求項２２】
前記印刷装置の印刷結果記録手段は、さらに、前記静止画データを印刷した印刷用紙のサイズを記録し、
前記印刷結果情報送信手段は、前記印刷結果記録手段が記録している印刷結果に加えて、前記印刷用紙のサイズを含む印刷結果情報を送信することを特徴とする請求項１９に記載の印刷装置。
【請求項２３】
前記印刷装置は、さらに、予め印刷装置に記録された秘密鍵情報を利用して、前記印刷結果情報及び、前記動画データ再生装置から受信したチャレンジに対する署名情報を生成する署名情報生成手段を備えたことを特徴とする請求項１９乃至請求項２２に記載の印刷装置。
【請求項２４】
前記印刷装置は、さらに、予め印刷装置に記録された前記公開鍵情報を含む証明書情報を送信する証明書情報送信手段を備えたことを特徴とする請求項１８乃至、請求項２３に記載の印刷装置。
【請求項２５】
動画データを再生可能な動画データ再生方法であって、
動画データを記録する動画データ記録ステップと、
前記動画データを再生する再生ステップと、
前記動画データに関連した静止画データを記録する静止画データ記録ステップと、
前記動画データの料金及び、前記静止画データを前記印刷装置で印刷した際の前記動画データの料金に対する割引率を記録する課金情報記録ステップと、
前記印刷装置に対して、前記静止画データの印刷指示を送信する指示送信ステップと、
前記静止画データを、印刷装置に送信するデータ送信ステップと、
前記印刷装置から印刷結果情報を受信する印刷結果情報受信ステップと、
前記動画データの料金、前記動画データの料金に対する割引率及び、前記印刷結果情報に含まれる印刷結果に基づき、動画データを再生する際の料金を計算する課金ステップと、
を備えることを特徴とする動画データ再生方法。
【請求項２６】
前記動画データ再生装置の課金ステップは、前記印刷結果情報に含まれる印刷結果及び、消費したインク量に基づいて動画データを再生する際の料金を計算することを特徴とする請求項２５に記載の動画データ再生方法。
【請求項２７】
前記動画データ再生装置の課金ステップは、前記印刷結果情報に含まれる印刷結果及び、印刷枚数に基づいて動画データを再生する際の料金を計算することを特徴とする請求項２５に記載の動画データ再生方法。
【請求項２８】
前記動画データ再生装置の課金ステップは、前記印刷結果情報に含まれる印刷結果及び、印刷用紙のサイズに基づいて動画データを再生する際の料金を計算することを特徴とする請求項２５に記載の動画データ再生方法。
【請求項２９】
前記動画データ再生方法は、さらに、前記印刷装置に対して、チャレンジを送信すると共に、前記送信したチャレンジ、前記印刷装置から受信した印刷結果情報、署名情報及び、前記印刷装置から受信した前記秘密鍵情報に対する公開鍵情報を用いて署名情報を検証する署名情報検証ステップを備え、
前記動画データ再生装置の課金ステップは、前記署名情報の検証が成功した場合にのみ、印刷結果情報に基づいて動画データを再生する際の料金を計算することを特徴とする請求項２５乃至、請求項２８に記載の動画データ再生方法。
【請求項３０】
前記動画データ再生方法は、さらに、前記印刷装置から受信した証明書情報を検証する証明書情報検証ステップを備え、
前記動画データ再生装置の課金ステップは、前記証明書情報の検証が成功した場合にのみ、印刷結果情報に基づいて動画データを再生する際の料金を計算することを特徴とする請求項２５乃至、請求項２９に記載の動画データ再生方法。
【請求項３１】
前記証明書情報は、さらに、前記印刷装置を識別可能な印刷装置識別子を含み、
前記動画データ再生方法は、さらに、動画データに関連付けられた印刷装置の印刷装置識別子と、前記証明書情報に含まれる印刷装置識別子とを比較する印刷装置識別子比較ステップと、を備え、
前記動画データ再生装置の課金ステップは、前記証明書情報の検証が成功して且つ、前記動画データに関連付けられた印刷装置識別子と、証明書情報に含まれる印刷装置識別子が一致した場合にのみ、印刷結果情報に基づいて動画データを再生する際の料金を計算することを特徴とする請求項３０に記載の動画データ再生方法。
【請求項３２】
前記動画データ再生方法は、さらに、外部ネットワークから、動画データ、前記動画データに関連した静止画データ及び、動画データの料金及び、前記静止画データを前記印刷装置で印刷した際の前記動画データの料金に対する割引率を受信するデータ受信ステップ手段を備えたことを特徴とする請求項２５乃至、請求項３１に記載の動画データ再生方法。
【請求項３３】
前記動画データ再生方法は、さらに、外部蓄積メディアから、動画データ、前記動画データに関連した静止画データ及び、動画データの料金及び、前記静止画データを前記印刷装置で印刷した際の前記動画データの料金に対する割引率を取得するデータ読み込みステップを備えたことを特徴とする請求項２５乃至、請求項３１に記載の動画データ再生方法。
【請求項３４】
静止画データを印刷可能な印刷方法であって、
前記動画データ再生装置から静止画データの印刷指示を受信する指示受信ステップと、
前記印刷指示に基づき、前記動画データ再生装置から静止画データを受信するデータ受信ステップと、
前記静止画データを印刷する印刷ステップと、
前記静止画データの印刷が成功したか否かを示す印刷結果を記録する印刷結果記録ステップと、
前記印刷結果記録手段に記録された印刷結果を含む印刷結果情報を生成し、前記動画データ再生装置に送信する印刷結果情報送信ステップと、
を備えたことを特徴とする印刷方法。
【請求項３５】
前記印刷方法の印刷結果記録ステップは、さらに、前記静止画データの印刷に伴い消費したインクの消費量を記録し、
前記印刷結果情報送信ステップは、前記印刷結果記録ステップが記録している印刷結果に加えて、前記消費したインク量を含む印刷結果情報を送信することを特徴とする請求項３４に記載の印刷方法。
【請求項３６】
前記印刷方法の印刷結果記録ステップは、さらに、前記静止画データを印刷した印刷枚数を記録し、
前記印刷結果情報送信ステップは、前記印刷結果記録ステップが記録している印刷結果に加えて、印刷枚数を含む印刷結果情報を送信することを特徴とする請求項３４に記載の印刷方法。
【請求項３７】
前記印刷方法の印刷結果記録ステップは、さらに、前記静止画データを印刷した印刷用紙のサイズを記録し、
前記印刷結果情報送信ステップは、前記印刷結果記録ステップが記録している印刷結果に加えて、前記印刷用紙のサイズを含む印刷結果情報を送信することを特徴とする請求項３４に記載の印刷方法。
【請求項３８】
前記印刷方法は、さらに、予め印刷装置に記録された秘密鍵情報を利用して、前記印刷結果情報及び、前記動画データ再生装置から受信したチャレンジに対する署名情報を生成する署名情報生成ステップを備えたことを特徴とする請求項３４乃至請求項３７に記載の印刷方法。
【請求項３９】
前記印刷方法は、さらに、予め印刷装置に記録された前記公開鍵情報を含む証明書情報を送信する証明書情報送信ステップを備えたことを特徴とする請求項３４乃至、請求項３８に記載の印刷方法。
【請求項４０】
コンピュータに、請求項２５乃至請求項３３のいずれかに記載の動画データ再生装置の機能を実行させるための情報処理プログラム。
【請求項４１】
コンピュータに、請求項３４乃至請求項３９のいずれかに記載の印刷装置の機能を実行させるための情報処理プログラム。
【請求項４２】
請求項４０乃至請求項４１に記載のプログラムを記録したコンピュータ読み取り可能な記憶媒体。
【発明の詳細な説明】
【技術分野】
【０００１】
本発明は、動画形式のコンテンツと共に配信された静止画形式の広告コンテンツの印刷を確実に行う技術に関する。
【背景技術】
【０００２】
近年、ｘＤＳＬや光ファイバーなどのブロードバンド環境が整ったことにより、企業、一般家庭を問わず高速インターネット接続環境が普及している。また、そういった高速なインターネット接続環境が整ったことにより、宅内のＰＣ（Ｐｅｒｓｏｎａｌ  Ｃｏｍｐｕｔｅｒ）やデジタル家電に、音楽コンテンツや動画コンテンツを配信するようなコンテンツ配信サービスが開始されつつある。コンテンツ配信サービスで提供される音楽コンテンツや、動画コンテンツには、ユーザーが料金を支払って購入するもの以外に、コンテンツ提供者が指定するＣＭ（Ｃｏｍｍｅｒｃｉａｌ  Ｍｅｓｓａｇｅ）をユーザーが視聴することにより無料或いは、割安な料金でコンテンツを視聴できるものが存在する。ＣＭ提供者である企業がコンテンツ料金の全額或いは、一部を負担することにより、ユーザーは、無料、或いは割安な料金でコンテンツを視聴できるのである。ＣＭを視聴するだけでコンテンツが無料で視聴可能となる広告バインド型のコンテンツ配信モデルは、コンテンツが無料で視聴できるという手軽さから、多くのユーザーに受け入れられ、利用されている。
【０００３】
ＣＭの提供形態として、ＣＭを単に視聴するモデル以外に、ＣＭを印刷するモデルが考えられる。ＣＭ視聴モデルでは、ユーザーが受動的にＣＭ視聴するのに対し、ＣＭを印刷するモデルの場合、ユーザーは、能動的にＣＭを印刷するという行為を行う。そのため、ＣＭ提供者側にとっては、ユーザーに対し、より深くＣＭの印象を残す効果が期待できる。
【０００４】
また、ＣＭを印刷するモデルの場合、ＣＭ提供者以外に、ＣＭを印刷することによりインクを消費できる印刷装置メーカーからもコンテンツ料金を負担してもらえることが予想できるため、ユーザーにとってもコンテンツがより安価で視聴できるようになる効果が期待できる。
【０００５】
上記サービスを実現可能にする技術として、動画データに関連付けられた静止画データを、印刷装置で印刷する技術が存在する（特許文献１参照）。前記技術を利用することにより、動画データに関連付けられた静止画データであるＣＭコンテンツを印刷することが可能となる。
【特許文献１】特開２００５−２５４０２号公報
【発明の開示】
【発明が解決しようとする課題】
【０００６】
しかしながら、前記従来技術は、不正な手段を使って、印刷装置が広告を印刷せずに印刷したというように見せかけた場合に、動画データ再生装置側で、不正を検出できる方法が存在しなかった。また、印刷した印刷装置の機種や、使用されたインクの量を、安全、確実に特定できる方法が存在しなかったため、実際に消費されたインク量に対応した料金を負担するということができなかった。
【０００７】
そこで本発明は、これら前記課題を解決するものであって、動画データに関連付けられた静止画データを、確実に印刷したことを確認可能となる、動画データ再生装置、及び印刷装置を提供することを目的とする。
【課題を解決するための手段】
【０００８】
前記従来の課題を解決するために、本願の第一の発明の動画データ再生システムは、
動画データを記録する動画データ記録手段と、
前記動画データを再生する再生手段と、
前記動画データに関連した静止画データを記録する静止画データ記録手段と、
前記動画データの料金及び、前記静止画データを前記印刷装置で印刷した際の前記動画データの料金に対する割引率を記録する課金情報記録手段と、
前記印刷装置に対して、前記静止画データの印刷指示を送信する指示送信手段と、
前記静止画データを、印刷装置に送信するデータ送信手段と、
前記印刷装置から印刷結果情報を受信する印刷結果情報受信手段と、
前記動画データの料金、前記動画データの料金に対する割引率及び、前記印刷結果情報に含まれる印刷結果に基づき、動画データを再生する際の料金を計算する課金手段と、
を備えた前記動画データ再生装置と、
前記動画データ再生装置から静止画データの印刷指示を受信する指示受信手段と、
前記印刷指示に基づき、前記動画データ再生装置から静止画データを受信するデータ受信手段と、
前記静止画データを印刷する印刷手段と、
前記静止画データの印刷が成功したか否かを示す印刷結果を記録する印刷結果記録手段と、
前記印刷結果記録手段に記録された印刷結果を含む印刷結果情報を生成し、前記動画データ再生装置に送信する印刷結果情報送信手段と、
を備えた前記印刷装置とで構成され、
前記動画データ再生装置は、印刷結果情報に含まれる印刷結果に基づき、動画データを再生する際の料金を計算することを特徴とする。
【０００９】
本願の第二の発明の動画データ再生システムは、
前記印刷装置の印刷結果記録手段が、さらに、前記静止画データの印刷に伴い消費したインクの消費量を記録し、
前記印刷結果情報送信手段が、前記印刷結果記録手段が記録している印刷結果に加えて、前記消費したインク量を含む印刷結果情報を送信し、
前記動画データ再生装置の課金手段が、前記印刷結果情報に含まれる印刷結果及び、消費したインク量に基づいて動画データを再生する際の料金を計算することを特徴とする。
【００１０】
本願の第三の発明の動画データ再生システムは、
前記印刷装置の印刷結果記録手段が、さらに、前記静止画データを印刷した印刷枚数を記録し、
前記印刷結果情報送信手段が、前記印刷結果記録手段が記録している印刷結果に加えて、印刷枚数を含む印刷結果情報を送信し、
前記動画データ再生装置の課金手段が、前記印刷結果情報に含まれる印刷結果及び、印刷枚数に基づいて動画データを再生する際の料金を計算することを特徴とする。
【００１１】
本願の第四の発明の動画データ再生システムは、
前記印刷装置の印刷結果記録手段が、さらに、前記静止画データを印刷した印刷用紙のサイズを記録し、
前記印刷結果情報送信手段が、前記印刷結果記録手段が記録している印刷結果に加えて、前記印刷用紙のサイズを含む印刷結果情報を送信し、
前記動画データ再生装置の課金手段が、前記印刷結果情報に含まれる印刷結果及び、印刷用紙のサイズに基づいて動画データを再生する際の料金を計算することを特徴とする。
【００１２】
本願の第五の発明の動画データ再生システムは、
前記印刷装置が、さらに、予め印刷装置に記録された秘密鍵情報を利用して、前記印刷結果情報及び、前記動画データ再生装置から受信したチャレンジに対する署名情報を生成する署名情報生成手段を備え、
前記動画データ再生装置が、さらに、前記印刷装置に対して、チャレンジを送信すると共に、前記送信したチャレンジ、前記印刷装置から受信した印刷結果情報、署名情報及び、前記印刷装置から受信した前記秘密鍵情報に対する公開鍵情報を用いて署名情報を検証する署名情報検証手段を備え、
前記動画データ再生装置の課金手段が、前記署名情報の検証が成功した場合にのみ、印刷結果情報に基づいて動画データを再生する際の料金を計算することを特徴とする。
【００１３】
本願の第六の発明の動画データ再生システムは、
前記印刷装置が、さらに、予め印刷装置に記録された前記公開鍵情報を含む証明書情報を送信する証明書情報送信手段を備え、
前記動画データ再生装置が、さらに、前記印刷装置から受信した証明書情報を検証する証明書情報検証手段を備え、
前記動画データ再生装置の課金手段が、前記証明書情報の検証が成功した場合にのみ、印刷結果情報に基づいて動画データを再生する際の料金を計算することを特徴とする。
【００１４】
本願の第七の発明の動画データ再生システムは、
前記証明書情報が、さらに、前記印刷装置を識別可能な印刷装置識別子を含み、
前記動画データ再生装置が、さらに、動画データに関連付けられた印刷装置の印刷装置識別子と、前記証明書情報に含まれる印刷装置識別子とを比較する印刷装置識別子比較手段と、を備え、
前記動画データ再生装置の課金手段が、前記証明書情報の検証が成功して且つ、前記動画データに関連付けられた印刷装置識別子と、証明書情報に含まれる印刷装置識別子が一致した場合にのみ、印刷結果情報に基づいて動画データを再生する際の料金を計算することを特徴とする。
【００１５】
本願の第八の発明の動画データ再生システムは、
前記動画データ再生装置が、さらに、外部ネットワークから、動画データ、前記動画データに関連した静止画データ及び、動画データの料金及び、前記静止画データを前記印刷装置で印刷した際の前記動画データの料金に対する割引率を受信するデータ受信手段を備えたことを特徴とする。
【００１６】
本願の第九の発明の動画データ再生システムは、
前記動画データ再生装置が、さらに、外部蓄積メディアから、動画データ、前記動画データに関連した静止画データ及び、動画データの料金及び、前記静止画データを前記印刷装置で印刷した際の前記動画データの料金に対する割引率を取得するデータ読み込み手段を備えたことを特徴とする。
【発明の効果】
【００１７】
本発明の動画データ再生システムによれば、印刷装置が広告を印刷したことを確実に確認することが可能となるため、広告バインド型のコンテンツ配信事業に適用した場合、広告主からだけでなく、印刷装置を提供する企業からもコンテンツの費用を徴収するビジネスモデルを確立できるなどの顕著な効果が得られる。
【発明を実施するための最良の形態】
【００１８】
以下本発明の実施の形態について、図面を参照しながら説明する。
【００１９】
（実施の形態１）
図１は、本発明の実施の形態１におけるネットワーク構成図を表したものである。
【００２０】
動画配信サーバ１０２は、インターネット１０３上に設置されているサーバであり、動画データ、動画データに関連付けられているＣＭコンテンツ（静止画データ）、動画データの視聴料金、及び静止画データの印刷結果による割引率情報を管理するものである。本実施の形態の例では、これらの情報を、一つのサーバで管理するように構成しているが、各々の情報を別のサーバで管理するように構成しても良い。
【００２１】
ブロードバンドルータ１０４は、インターネットと、宅内のネットワークの間に設置される装置である。宅内ネットワーク上に配置されているインターネット機能を持つ情報家電は、ブロードバンドルータ１０４を介して、インターネット上の様々な装置と通信を行う。本実施の形態の例では、動画データ再生装置１０５は、ブロードバンドルータ１０４を介して、動画配信サーバ１０２と通信を行う。
【００２２】
動画データ再生装置１０５は、動画配信サーバ１０２から動画データ及び、動画データの視聴料金を取得し、再生するものである。ユーザーは、前記動画データの視聴料金を支払うことにより、動画データを再生可能となる。また、動画データ再生装置１０５は、動画配信サーバ１０２から、動画データに関連付けられている静止画データ、及び静止画データの印刷結果による割引率情報を受信し、前記静止画データの印刷結果により、動画データの視聴料金を計算する。例えば、静止画データを印刷すると、コンテンツの料金が半額になるという割引率情報を動画データ再生装置１０５が取得していた場合、ユーザーは、静止画データを印刷することにより、正規の動画データの視聴料金の半額で、動画データを視聴することが可能となる。
【００２３】
表示装置１０６は、動画データ再生装置１０５が出力した動画データの再生画面、ユーザーに選択操作を促す画面、或いはユーザーの操作結果を表示する画面などを表示するものである。本実施の形態の例では、動画データ再生装置１０５と、表示装置１０６が、別の装置となっているが、動画データ再生装置１０５と、表示装置１０６が一体の装置として構成されても良い。
【００２４】
印刷装置１０７は、動画データ再生装置１０５からの指示により、動画データに関連付けられた静止画データを印刷するものである。また、静止画データの印刷結果に関する情報を記録し、動画データ再生装置１０５に送信する。前記印刷結果に関する情報に関しては、印刷が成功したという印刷結果以外に、印刷の際に使用したインクの量、印刷枚数、印刷用紙のサイズ等が考えられる。尚、印刷結果に関する情報に関しては、これらに限定されるものではなく、印刷を実行した際のインクの消費量を類推できるような、あらゆる情報を含む。動画データ再生装置１０５が、インクの消費量を考慮して、割引率を計算することにより、印刷装置を提供するメーカーは、インク消費による収入に応じた料金を、動画データに対して支払うことが可能となる。
【００２５】
印刷装置１０７は、印刷結果情報を不正に改竄されることを防止するために、印刷装置１０７に関する証明書情報及び、印刷結果情報に対する署名情報を生成し、動画データ再生装置１０５に送信する。証明書情報及び、印刷結果情報に対する署名情報に関しては、後述する。
【００２６】
次に、動画データ再生装置１０５が、動画配信サーバ１０２から動画データを取得してから、前記動画データを再生するまでの手順を、操作画面のイメージを用いて説明する。
【００２７】
図２〜図６は、動画データ再生装置１０５が、動画配信サーバ１０２から動画データを取得してから、動画データを再生するまでの間に、表示装置１０６を用いて、ユーザーに提示する画面のイメージを示すものである。
【００２８】
図２は、動画配信サーバ１０２に蓄積されている動画データの一覧を表示する画面である。動画データ再生装置１０５は、動画配信サーバ１０２から、現在視聴可能な動画データの一覧を取得し、表示する。現在、動画配信サーバ１０２上には、動画データ再生装置１０５が再生可能な動画データとして、「○○○○」、「△△△△」、「□□□□」が蓄積されている。図２の画面上には、これらの動画データの名称が表示される。プレビュー画面は、現在選択されている動画データのプレビュー画面を表示している。プレビュー画面を表示することにより、ユーザーは、名称のみで表示するよりも、より動画データの内容を把握しやすくなる効果が得られる。
【００２９】
図３は、図２で示した動画データの一覧画面において、ユーザーが「○○○○」の動画データを選択した後に表示される動画データの詳細画面である。動画データの詳細画面では、動画データ名以外に、動画データを視聴するためにユーザーが支払う必要がある正規の料金、動画データに関連付けられた静止画データがある場合には、前記静止画データに関する情報、割引料金が適用される印刷装置及び、動画再生、印刷実行、キャンセルの実行ボタンが表示されている。動画再生ボタンを選択すると、ユーザーは、前記正規の料金を支払うことにより、動画データの視聴が可能となる。印刷実行ボタンを選択すると、印刷装置によって静止画データの印刷が実行され、ユーザーは割引料金が適用された後の料金を支払うことにより、動画データの視聴が可能となる。キャンセルボタンを選択すると、図２の動画データの一覧を表示する画面が再度表示される。
【００３０】
尚、前記３つのボタン以外に、静止画データを表示装置１０６に表示させる、印刷プレビューボタンを設けて、表示装置１０６に静止画データを表示させることも可能である。前記の印刷プレビュー機能を設けることにより、例えば、ユーザーが、印刷は実行しないが、表示装置１０６を通して、静止画データの閲覧のみ行うことにより、印刷が実行された場合よりも低い割引率（印刷を実行した場合よりも高い料金を支払う）で、動画データを視聴する、といったようなサービスを実現することが可能となる。
【００３１】
図４は、図３の画面において、印刷実行ボタンを押下した後、印刷装置において静止画データの印刷が完了した際に表示される画面のイメージである。ユーザーが静止画データの印刷を実行したことにより、割引が適用された後の動画データの料金が表示される。本画面上で、再生ボタンが押下された場合、割引後の動画データの料金が課金されて、動画データの再生が開始される。キャンセルボタンが押下された場合、図２のコンテンツ一覧表示画面に遷移する。
【００３２】
図５は、図３の画面において、再生ボタンが選択された場合に表示される画面のイメージである。印刷を実行しなかったため、正規の動画データの料金が表示される。本画面上で、再生ボタンが押下された場合、正規の料金が課金されて、動画データの再生が開始される。キャンセルボタンが押下された場合、図２のコンテンツ一覧表示画面に遷移する。
【００３３】
図６は、図３の画面において、印刷実行ボタンが選択された後、何らかの理由によって、印刷が失敗した場合に表示される画面のイメージである。印刷が失敗した原因としては、割引が適用される印刷装置がネットワーク上に接続されていなかった等が考えられる。印刷が実行されなかったため、画面上には、動画データの正規の料金が表示される。本画面上で、再生ボタンが押下された場合、正規の料金が課金されて、動画データの再生が開始される。キャンセルボタンが押下された場合、図２のコンテンツ一覧表示画面に遷移する。
【００３４】
尚、図２〜図６の画面イメージは、再生の手順を説明するために、便宜的に使用したものであり、本発明の内容を何ら限定するものではない。
【００３５】
次に、本実施の形態の例における、動画配信サーバ１０２、動画データ再生装置１０５、及び印刷装置１０７間の通信シーケンスについて説明する。
【００３６】
図７は、動画配信サーバ１０２、動画データ再生装置１０５、及び印刷装置１０７間の通信シーケンスを表した図である。
【００３７】
最初に、動画データ再生装置１０５は、動画配信サーバ１０２から、動画配信サーバに蓄積されている動画データの一覧情報を取得する（Ｓ７０１）。前記動画データの一覧には、少なくとも表示装置１０６に表示するための動画データ名や、動画データにアクセスするためのＵＲＬ（Ｕｎｉｆｏｒｍ  Ｒｅｓｏｕｒｃｅ  Ｌｏｃａｔｏｒ）、及び動画データに関連付けられた静止画にアクセスするためのＵＲＬ、などが含まれる。尚、動画データの一覧情報に含まれる情報は、これらに限定されるものではなく、動画データに関連するあらゆる情報が含まれてよい。
【００３８】
動画データ再生装置１０５は、前記受信した動画データの一覧情報に基づいて、動画データの一覧表示画面（図２の画面）を表示装置１０６の画面上に表示する（Ｓ７０２）。ユーザーは、動画データの一覧から、視聴したい動画データを選択する（Ｓ７０３）。
【００３９】
次に、動画データ再生装置１０５は、動画配信サーバ１０２から、動画データの視聴料金、ユーザーが選択したコンテンツに関連する静止画データ、及び静止画データの印刷を実行した際の割引率を取得する（Ｓ７０４、Ｓ７０５）。前記割引率に関しては、例えば、印刷が成功したら５０円引き、或いは、インク消費量１００ｍｌごとに１００円引きといった形態が考えられる。尚、割引率に関しては、これに限定されるものではなく、印刷１枚ごとに１００円引きといった形態や、Ａ４サイズの印刷一枚ごとに１００円引きといったような形態が考えられる。動画データ再生装置１０５が、動画配信サーバ１０２から静止画データを取得する際には、Ｓ７０１のステップで取得した静止画にアクセスするためのＵＲＬを指定する。動画配信サーバ１０２は、静止画データを印刷した場合に割引が適用される印刷装置１０７が指定されている場合、静止画データと共に、前記割引が適用される印刷装置１０７の印刷装置識別子を送信する（Ｓ７０６）。本実施の形態の例では、前記印刷装置の印刷装置識別子として、印刷装置の機種毎に割り当てられる識別子を用いる。尚、本願の発明の印刷装置識別子は、これに限定されるものではなく、例えば、印刷装置一台毎に割り振られる識別子、或いは、印刷装置のメーカー毎に割り振られる識別子等を用いても良い。動画データ再生装置１０５は、動画配信サーバ１０２から受信した静止画データ、静止画データの印刷を実行した際の割引率、及び割引が適用される印刷装置１０７の印刷装置識別子を記録する。
【００４０】
次に、動画データ再生装置１０５は、前記動画配信サーバ１０２から受信した情報に基づいて、動画データ詳細画面（図３の画面）を、表示装置１０７に表示する（Ｓ７０７）。
【００４１】
動画データ詳細画面において、印刷実行ボタンが押下されると、動画データ再生装置１０５は、印刷装置１０７に対して、印刷実行要求を送信する（Ｓ７０８）。前記印刷実行要求には、動画データ再生装置１０５上に記録されている静止画データにアクセスするためのＵＲＬなどの情報が含まれる。
【００４２】
印刷装置１０７は、前記印刷実行要求を受信すると、印刷実行要求に含まれるＵＲＬを指定して、前記動画データ再生装置１０５から静止画データを取得する（Ｓ７０９）。
【００４３】
印刷装置１０７は、静止画データの取得が完了すると、動画データ再生装置１０５に対して、予め印刷装置１０７に記録されている証明書情報を送信する（Ｓ７１０）。証明書情報の詳細に関しては、後述する。
【００４４】
前記印刷装置１０７から証明書情報を受信した動画データ再生装置１０５は、前記証明書情報の検証を行う（Ｓ７１１）。本実施の形態の例の動画データ再生装置１０５には、予め前記証明書情報の検証に必要な公開鍵情報が記録されている。尚、前記公開鍵情報に関しては、予め動画データ再生装置に記録しておく必要はなく、例えば、ネットワークを経由して取得する方法、外部蓄積メディアから取得する方法などが考えられる。証明書情報の検証方法の詳細に関しては、後述する。
【００４５】
動画データ再生装置１０５は、証明書情報の検証が成功すると、前記証明書情報に含まれる印刷装置識別子と、前記動画配信サーバ１０２からＳ７０６で受信した割引が適用される印刷装置１０７の印刷装置識別子とを比較する（Ｓ７１２）。印刷装置識別子が一致した場合は、図３の画面を表示し、印刷するか否かを選択する（Ｓ７１３）。印刷装置識別子が一致しなかった場合は、図５の画面を表示し、動画データを再生するか否かを選択する。
【００４６】
図３の画面で印刷実行が選択された場合、動画データ再生装置１０５は、チャレンジデータを生成し、印刷装置１０７に対して送信する（Ｓ７１４）。前記チャレンジデータは、乱数値であり、前記動画データ再生装置１０５は、Ｓ７１４のステップにおいて、毎回異なる乱数値を生成し、印刷装置１０７に対して送信する。
【００４７】
チャレンジデータを受信した印刷装置１０７は、Ｓ７０９のステップで受信した静止画データの印刷を実行する（Ｓ７１５）。本実施の形態の例の印刷装置１０７は、印刷結果と共に、印刷実行時に消費したインクの量を記録する。尚、前記印刷装置１０７が印刷実行時に記録する情報は、これに限定されるものではなく、インクの消費量が推定可能な情報であれば良い。インクの消費量以外では、例えば、印刷枚数や、印刷用紙のサイズなどが考えられる。
【００４８】
印刷装置１０７は、印刷が完了すると、印刷結果、インク量、及び前記Ｓ７１４のステップで動画データ再生装置１０５から受信したチャレンジデータに対する署名情報を生成し、印刷結果、インク量と共に、動画データ再生装置１０５に対して送信する（Ｓ７１６）。本実施の形態の例の署名情報は、印刷結果、インク量及び、チャレンジデータから算出したハッシュ値、及び予め印刷装置１０７に記録した秘密鍵情報から算出する値である。前記秘密鍵情報は、予め印刷装置１０７に記録した前記証明書情報に含まれる公開鍵情報と対となるものである。尚、署名情報の生成方法に関しては、これに限定されるものではなく、動画データ再生装置１０５と、印刷装置１０７の間で予め秘密情報を共有しておき、印刷結果、インク量及び、チャレンジデータから算出したハッシュ値及び、前記秘密情報から署名情報を算出するようにしてもよい。印刷結果及び、インク量と共に、前記署名情報を合わせて送信することにより、悪意の第三者によるなりすましや、印刷結果、インク量の改竄が防止可能となる。
【００４９】
動画データ再生装置１０５は、前記印刷装置１０７から前記印刷結果、インク量及び、署名情報を受信すると、前記署名情報の検証を行う（Ｓ７１７）。本実施の形態の例の動画データ再生装置１０５は、印刷装置１０７に対して送信したチャレンジ及び、Ｓ７１７のステップで受信した印刷結果、インク量からハッシュ値ａを算出すると共に、Ｓ７１０のステップで印刷装置１０７から受信した証明書情報に含まれる公開鍵情報を利用して、前記署名情報から再度ハッシュ値ｂを算出し、前記ハッシュ値ａと、ハッシュ値ｂを比較する。ハッシュ値ａとハッシュ値ｂが一致した場合、署名情報が正しいと認識する。
【００５０】
動画データ再生装置１０５は、前記署名情報の検証に成功すると、前記Ｓ７１７のステップで受信したインク量及び、Ｓ７０５のステップで受信した静止画データの印刷を実行した際の割引率から、コンテンツの料金を算出し（Ｓ７１８）、図４の画面を表示する。例えば、前記印刷装置１０７から受信したインクの消費量が２００ｍｌであって、静止画データの印刷を実行した際の割引率が１００ｍｌごとに１００円であったとすると、実際の割引料は、２００円となる。また、前記署名情報の検証に失敗すると、図６の画面が表示される。
【００５１】
図４の画面上で再生が選択されると、動画データ再生装置１０５は、動画配信サーバ１０２から、動画データを受信し、表示装置１０６に表示する（Ｓ７１９、Ｓ７２０）。
【００５２】
次に、証明書情報の内容及び、証明書情報の検証方法に関して説明する。
【００５３】
図８は、前記印刷装置１０７が送信する証明書情報を概念的に示す図である。
【００５４】
本実施の形態の例の証明書情報には、印刷装置識別子、印刷装置固有識別子、公開鍵情報、及び署名情報が含まれる。
【００５５】
印刷装置識別子は、割引率が適用される印刷装置１０７を識別するために利用される値である。印刷装置識別子をどのように印刷装置に割り当てるかに関しては、割引サービスの実施の形態により異なる。例えば、割引率を機器毎に変更するのであれば、印刷装置識別子は、印刷装置毎に割り当てる必要がある。割引率を印刷装置の機種毎に変更するのであれば、印刷装置識別子は、印刷装置の機種毎に割り当てる。また、割引率を印刷装置のメーカー毎に変更するのであれば、印刷装置識別子は、印刷装置のメーカー毎に割り当てる。本実施の形態の例では、機種毎に印刷装置識別子を割り当てている。
【００５６】
印刷装置固有識別子は、印刷装置の機器毎に割り当てる値である。もし、印刷装置識別子が、機器毎に割り当てられているのであれば、印刷装置固有識別子と、印刷装置識別子は同様の値となる。
【００５７】
公開鍵情報は、印刷装置１０７に予め記録されている秘密鍵情報と対になる鍵情報である。秘密鍵情報を利用して暗号化された値は、公開鍵情報を利用してのみ復号化でき、また公開鍵情報を利用して暗号化された値は、秘密鍵情報を利用してのみ復号化できるという特徴がある。
【００５８】
署名情報は、前記印刷装置識別子、印刷装置固有識別子、及び公開鍵情報に対して付与される。署名情報は、前記印刷装置識別子、印刷装置固有識別子、及び公開鍵情報から算出したハッシュ値に対して、秘密鍵情報を利用して算出した値である。前記秘密鍵情報は、前記証明書情報を生成し、印刷装置に対して付与する者が保持するものである。前記証明書情報を付与する者に関しては、本願の発明のポイントとは異なるため、詳述しない。また、前記秘密鍵情報と対になる公開鍵情報は、予め動画データ再生装置１０５内に記録されている。
【００５９】
次に、証明書情報の検証方法に関して説明する。
【００６０】
動画データ再生装置１０５は、まず前記印刷装置識別子、印刷装置固有識別子、及び公開鍵情報からハッシュ値ａを算出する。次に、動画データ再生装置１０５内に予め記録されている公開鍵情報を利用して、署名情報からハッシュ値ｂを算出する。前記ハッシュ値ａの値と、前記ハッシュ値ｂの値が一致すれば、証明書情報の検証は、成功したものとする。
【００６１】
次に、動画データ再生装置１０５の詳細に関して説明する。
【００６２】
図９は、動画データ再生装置１０５の内部構成を示す図である。
【００６３】
データ受信部９０２は、動画配信サーバ１０２から、動画データの一覧、動画データ、動画データに関連付けられた静止画データ、静止画データの印刷を実行した際の割引率、及び割引が適用される印刷装置の印刷装置識別子を、ネットワークを通じて取得するものである。尚、本願の実施の形態の例では、データ受信部９０２は、ネットワークを通じてこれらのデータを取得するようにしているが、外部蓄積メディアを通じて、これらの情報を取得するようにしても良い。また、データの一部を、ネットワークを通じて取得し、残りの部分を、外部蓄積メディアを通じて取得するようにしても良い。尚、データ受信部９０２が取得するデータは、これらに限定されるものではなく、動画データ、或いは静止画データに関連するあらゆる情報を含む。例えば、動画データの再生時間を受信するようにすれば、動画データの一覧を表示する際に、再生時間を一緒に表示させることが可能となる。
【００６４】
静止画データ記録部９０３は、動画データに関連付けられた静止画データ名及び、静止画データを記録するものである。
【００６５】
動画データ記録部９０４は、動画データ名及び、動画データを記録するものである。
【００６６】
課金情報記録部９０５は、動画データ名、動画データに関連付けられた静止画データ名、動画データの視聴料金、静止画データの印刷を実行した際の割引率、及び割引が適用される印刷装置の識別子を記録するものである。課金情報記録部９０５が記録する情報の詳細に関しては、後述する。
【００６７】
入力部９０６は、ユーザーからの入力を受け付けるものである。入力方法としては、例えば、動画データ再生装置１０５上に配置されたボタンを利用する方法、或いは、リモート・コントローラ（Ｒｅｍｏｔｅ  Ｃｏｎｔｒｏｌｌｅｒ）を利用する方法などが考えられる。尚、入力部９０６に関しては、これらに限定されるものではなく、ユーザーが表示装置１０６上に表示されているアイコン等を操作可能なあらゆる入力デバイスを含む。
【００６８】
指示送信部９０７は、前記入力部９０６からの操作により、印刷実行が選択された場合に、印刷装置１０７に対して、印刷実行要求を送信するものである。
【００６９】
データ送信部９０８は、印刷装置１０７に対して、静止画データを送信するものである。静止画データを送信する方法としては、ＨＴＴＰ（Ｈｙｐｅｒ  Ｔｅｘｔ  Ｔｒａｎｓｆｅｒ  Ｐｒｏｔｏｃｏｌ）を利用する方法等が考えられる。尚、ＨＴＴＰ以外の方法を利用して、前記静止画データを送信してもよい。
【００７０】
証明書情報検証部９０９は、予め証明書情報の検証に必要な公開鍵情報を記録しておくと共に、印刷装置１０７から証明書情報を受信し、証明書情報の内容を検証するものである。証明書情報の検証に失敗した場合、静止画データの印刷は実行されない。
【００７１】
印刷装置識別子比較部９１０は、課金情報記録部９０５が記録している割引が適用される印刷装置の印刷装置識別子と、印刷装置１０７から取得した証明書に含まれる印刷装置識別子とを比較するものである。印刷装置識別子が、一致しなかった場合、静止画データの印刷は実行されない。
【００７２】
印刷結果情報受信部９１１は、印刷装置１０７から、署名情報付きの印刷結果情報を受信するものである。
【００７３】
署名情報検証部９１２は、前記印刷結果情報受信部９１１が印刷結果情報と共に受信した署名情報を検証するものである。印刷装置が、印刷を実行した場合であっても、署名情報の検証に失敗した場合、割引は適用されない。
【００７４】
課金部９１３は、課金情報記録部９０５が記録している動画データの視聴料金及び、静止画データの印刷を実行した際の割引率から、ユーザーが支払う必要のある視聴料金を計算する。印刷を実行していない場合は、正規の動画データの視聴料金が課金され、印刷を実行した場合は、割引適用後の視聴料金が課金される。
【００７５】
再生部９１４は、動画データを再生し、表示装置１０６に表示するものである。
【００７６】
次に、印刷装置１０７の詳細に関して説明する。
【００７７】
図１０は、印刷装置１０７の内部構成を示す図である。
【００７８】
指示受信部１００２は、動画データ再生装置１０５からの印刷実行要求を受信するものである。
【００７９】
データ受信部１００３は、動画データ再生装置１０５から静止画データを受信するものである。静止画データを受信する方法としては、ＨＴＴＰ（Ｈｙｐｅｒ  Ｔｅｘｔ  Ｔｒａｎｓｆｅｒ  Ｐｒｏｔｏｃｏｌ）を利用する方法が考えられる。尚、ＨＴＴＰ以外の方法を利用して、前記静止画データを受信してもよい。
【００８０】
印刷部１００４は、前記静止画データを印刷するものである。
【００８１】
印刷結果記録部１００５は、前記印刷部１００４による印刷結果を記録するものである。本実施の形態の例では、さらに、印刷実行時のインクの消費量を合わせて記録する。尚、印刷結果記録部１００５が記録する情報は、これらに限定されるものではなく、インクの消費量が推定可能な情報であれば良い。インクの消費量以外では、例えば、印刷枚数や、印刷用紙のサイズなども考えられる。
【００８２】
証明書情報送信部１００６は、予め印刷装置１０７に付与された証明書情報を記録すると共に、静止画データ受信完了後、前記証明書情報を、動画データ再生装置１０５に対して送信するものである。
【００８３】
署名情報生成部１００７は、動画データ再生装置１０５から、チャレンジデータを受信し、記録すると共に、印刷完了後、前記印刷結果記録部１００５に記録されている印刷結果、インクの消費量、及びチャレンジデータに対する署名情報を生成する。
【００８４】
印刷結果情報送信部１００８は、前記印刷結果記録部１００５に記録されている印刷結果及び、インクの消費量、及び署名情報生成部１００７が生成した署名情報を、動画データ再生装置１０５に対して送信するものである。
【００８５】
次に、課金情報記録部９０５が記録する情報について説明する。
【００８６】
図１１は、課金情報記録部９０５が記録する情報の内容を概念的に示す図である。
【００８７】
動画データ名は、動画データに付与されている名称を表すものである。視聴料金は、動画データの正規の視聴料金を表すものである。静止画データ名は、動画データに関連付けられている静止画データに付与されている名称を示すものである。識別子情報は、割引が適用される印刷装置の印刷装置識別子を表すものである。割引率は、静止画データの印刷を実行した際の割引率を表すものである。
【００８８】
動画データ名及び、静止画データ名は、表示装置１０６に表示する目的で利用するものである。また、視聴料金は、表示装置１０６に表示する以外に、課金部９１３が、視聴料金の計算を行う際に利用するものである。識別子情報は、印刷装置識別子比較部９１０が、印刷装置から受信した証明書情報に含まれる印刷装置識別子と比較し、割引を適用できるか否かを判断するために利用するものである。割引率は、課金部９１３が、印刷が実行された際に、割引後の視聴料金を計算するために利用するものである。
【００８９】
次に、動画データ再生装置１０５の処理の詳細について説明する。
【００９０】
図１２は、動画データ再生装置１０５の処理の詳細を表したフローチャートである。
【００９１】
最初に、動画データ再生装置１０５のデータ受信部９０２は、動画配信サーバ１０２から、動画データ一覧を取得し、表示装置１０６に表示する（Ｓ１２０２）。ユーザーが入力部９０６を通じて、動画データ一覧から動画データを選択すると、データ受信部９０２は、動画配信サーバ１０２から、動画データ、動画データに関連付けられた静止画データ、動画データの視聴料金、静止画データの印刷を実行した際の割引率、及び割引が適用される印刷装置の識別子を受信する（Ｓ１２０３）。動画データは、動画データ記録部９０４に記録される。動画データに関連付けられた静止画データは、静止画データ記録部９０３に記録される。動画データの視聴料金、静止画データの印刷を実行した際の割引率、及び割引が適用される印刷装置の印刷装置識別子は、課金情報記録部９０５に記録される（Ｓ１２０４）。データ受信部９０２は、動画配信サーバ１０２から受信した情報に基づいて、選択された動画データの詳細情報を表示する（Ｓ１２０５）。入力部９０６は、ユーザーが動画データ詳細表示画面のどのボタンを選択するかを待ち受ける（Ｓ１２０６）。ユーザーが、キャンセルボタンを選択すると、Ｓ１２０２のステップに戻り、動画データ一覧を表示する。ユーザーが、印刷実行ボタンを選択すると、指示送信部９０７は、印刷装置１０７に対して、印刷実行要求を送信する（Ｓ１２０７）。ユーザーが再生ボタンを選択すると、課金部９１３は、動画データの正規の料金を表示装置１０６に表示する（Ｓ１２２０）。データ送信部９０８は、印刷実行要求を送信すると、静止画データ取得要求を待ち受ける（Ｓ１２０８）。印刷装置１０７から静止画データ取得要求を受信すると、該当する静止画データを送信する（Ｓ１２０９）。静止画データの送信後、証明書情報検証部９０９は、証明書情報を待ち受ける（Ｓ１２１０）。証明書情報検証部９０９は、印刷装置１０７から証明書情報を受信すると、予め証明書情報検証部９０９に記録されている公開鍵情報を利用して、証明書情報の検証を行う（Ｓ１２１１）。証明書情報の検証に成功した場合、印刷装置識別子比較部９１０は、前記証明書情報に含まれる印刷装置識別子と、前記課金情報記録部９０５に記録されている印刷装置識別子を比較する（Ｓ１２１２、Ｓ１２１３）。証明書情報の検証に失敗した場合、課金部９１３は、動画データの正規の料金を表示装置１０６に表示する（Ｓ１２２０）。印刷装置識別子の比較結果が一致した場合、署名情報検証部９１２は、チャレンジデータを生成し、印刷装置１０７に送信する（Ｓ１２１４、Ｓ１２１５）。印刷装置識別子の比較結果が一致しなかった場合、課金部９１３は、動画データの正規の料金を表示装置１０６に表示する（Ｓ１２２０）。チャレンジデータ送信後、印刷結果情報受信部９１１は、印刷結果情報を待ち受ける（Ｓ１２１６）。印刷結果情報を受信すると、署名情報検証部９１２は、前記証明書情報に含まれる公開鍵情報を利用して、前記印刷結果情報と共に受信した署名情報を検証する（Ｓ１２１７）。署名情報の検証に成功した場合、課金部９１３は、課金情報を計算する（Ｓ１２１８、Ｓ１２１９）。前記課金情報は、課金情報記録部９０５に記録されている静止画データの印刷を実行した際の割引率、及び前記印刷結果情報に含まれるインクの量から割引額を計算し、正規の料金から前記割引額を引くことにより、算出される。課金部９１３は、課金情報を表示装置１０６に表示する（Ｓ１２２０）。入力部９０６は、ユーザーが印刷結果表示画面のどのボタンを選択するかを待ち受ける（Ｓ１２２１）。再生が選択された場合、再生部９１４は、動画データを再生し、表示装置１０６に表示する（Ｓ１２２２）。キャンセルが選択された場合、動画データ一覧画面を表示する。動画データの再生完了後、課金部９１３は、前記計算した課金情報に基づき、課金を行う（Ｓ１２２３）。
【００９２】
次に、印刷装置１０７の処理の詳細について説明する。
【００９３】
図１３は、印刷装置１０７の処理の詳細を表したフローチャートである。
【００９４】
指示受信部１００２は、動画データ再生装置１０５から印刷実行要求を待ち受ける（Ｓ１３０２）。印刷実行要求を受信すると、データ受信部１００３は、前記動画データ再生装置１０５から静止画データを受信する（Ｓ１３０３）。前記静止画データの受信が完了すると、証明書情報送信部１００６は、動画データ再生装置１０５に対して、予め証明書情報送信部１００６に記録されていた証明書情報を送信する（Ｓ１３０４）。証明書情報を送信すると、署名情報生成部１００７は、動画データ再生装置１０５からのチャレンジデータを待ち受ける（Ｓ１３０５）。チャレンジデータを受信すると、印刷部１００４は、前記受信した静止画データの印刷を開始する（Ｓ１３０６）。印刷完了後、印刷結果記録部１００５は、印刷結果を記録する（Ｓ１３０７）。また、本実施の形態の例では、印刷結果記録部１００５は、さらに、インクの消費量を記録する（Ｓ１３０８）。署名情報生成部１００７は、前記印刷結果、インクの消費量、及び前記受信したチャレンジデータから署名情報を生成する（Ｓ１３０９）。印刷結果情報送信部１００８は、印刷結果、インクの消費量及び、署名情報を含んだ印刷結果情報を動画データ再生装置１０５に送信する（Ｓ１３１０）。
【００９５】
以上、説明した本実施の形態１における動画データ再生装置及び、印刷装置により、なりすましや、改竄などの不正を防止した上で、安全に印刷結果や、インクの消費量に基づいた課金情報を計算することが可能になる。
【産業上の利用可能性】
【００９６】
本発明は、ネットワークに接続される任意の動画データ再生装置及び、印刷装置間において一般的に用いることができ、特に広告バインド型のコンテンツ配信事業に適用した場合、広告主からだけでなく、プリンタメーカからもコンテンツ費用を徴収するビジネスモデルを確立できるという効果を発揮する。
【図面の簡単な説明】
【００９７】
【図１】実施の形態１における動画データ再生システムの概略構成を示した図
【図２】実施の形態１における動画データの一覧情報を表示する画面の表示例を示した図
【図３】実施の形態１における動画データの詳細情報を表示する画面の表示例を示した図
【図４】実施の形態１における静止画データの印刷が成功した場合の画面の表示例を示した図
【図５】実施の形態１における静止画データの印刷を実行しなかった場合の画面の表示例を示す図
【図６】実施の形態１における静止画データの印刷が失敗した場合の画面の表示例を示す図
【図７】実施の形態１におけるコンテンツ配信サーバ、動画データ再生装置、印刷装置間の通信シーケンス図
【図８】実施の形態１における証明書情報の内容を概念的に示す図
【図９】実施の形態１における動画データ再生装置の内部構成を概念的に示す図
【図１０】実施の形態１における印刷装置の内部構成を概念的に示す図
【図１１】実施の形態１における課金情報記録部が管理するテーブルを概念的に示す図
【図１２】実施の形態１における動画データ再生装置の動作を示すフローチャート
【図１３】実施の形態１における印刷装置の動作を示すフローチャート
【符号の説明】
【００９８】
１０１  家
１０２  動画配信サーバ
１０３  インターネット
１０４  ブロードバンドルータ
１０５  動画データ再生装置
１０６  表示装置
１０７  印刷装置
９０２、１００３  データ受信部
９０３  静止画データ記録部
９０４  動画データ記録部
９０５  課金情報記録部
９０６  入力部
９０７  指示送信部
９０８  データ送信部
９０９  証明書情報検証部
９１０  印刷装置識別子比較部
９１１  印刷結果情報受信部
９１２  署名情報検証部
９１３  課金部
９１４  再生部
１００２  指示受信部
１００４  印刷部
１００５  印刷結果記録部
１００６  証明書情報送信部
１００７  署名情報生成部
１００８  印刷結果情報送信部
【図４】
2008263411.tif 000003
【図５】
2008263411.tif 000004
【図６】
2008263411.tif 000005
【図７】
2008263411.tif 000006
【図８】
2008263411.tif 000007
【図９】
2008263411.tif 000008
【図１０】
2008263411.tif 000009
【図１１】
2008263411.tif 000010
【図１２】
2008263411.tif 000011
【図１３】
2008263411.tif 000012
【図１】
2008263411.tif 000013
【図２】
2008263411.tif 000014
【図３】
2008263411.tif 000015